(57)【特許請求の範囲】
【請求項１】
ＬＥＤが実装されたＬＥＤ基板と、
前記ＬＥＤに点灯電力を供給する電源回路を有する電源基板と、
前記電源基板及び／又はＬＥＤ基板の放熱性を高める金属製のヒートシンクと、
前記電源基板を包囲し前記電源基板と前記ヒートシンクを電気的に絶縁する絶縁インナーと、
前記ＬＥＤ基板、前記電源基板、前記絶縁インナー、及び前記ヒートシンクを包囲して外郭を形成する円筒状の透光性カバーと、を備え、
前記電源回路がコモン線を介してヒートシンクに電気的に接続されている照明装置。
【請求項２】
ＬＥＤが実装されたＬＥＤ基板と、
前記ＬＥＤに点灯電力を供給する電源回路を有する電源基板と、
前記電源基板及び／又はＬＥＤ基板の放熱性を高める金属製のヒートシンクと、
前記電源基板を包囲し表面が電磁シールド材で被覆された、前記電源基板と前記ヒートシンクを電気的に絶縁する絶縁インナーと、
前記ＬＥＤ基板、前記電源基板、前記絶縁インナー、及び前記ヒートシンクを包囲して外郭を形成する円筒状の透光性カバーと、を備え、
前記電源回路がコモン線を介して絶縁インナー表面の電磁シールド材と電気的に接続されている照明装置。
【請求項３】
ＬＥＤが実装されたＬＥＤ基板と、
前記ＬＥＤに点灯電力を供給する電源回路を有する電源基板と、
前記電源基板及び／又はＬＥＤ基板の放熱性を高める金属製のヒートシンクと、
前記電源基板を包囲し表面が電磁シールド材で被覆されるとともにこの電磁シールド材と電気的に接続され、かつ、前記電源基板と前記ヒートシンクを電気的に絶縁する絶縁インナーと、
前記ＬＥＤ基板、前記電源基板、前記絶縁インナー、及び前記ヒートシンクを包囲して外郭を形成する円筒状の透光性カバーと、を備え、
前記電源回路がコモン線を介して前記絶縁インナー表面の電磁シールド材及びヒートシンクと電気的に接続されている照明装置。
【請求項４】
前記ヒートシンクが、半円筒部と平板部からなる筒体で構成され、その内部に前記電源基板及び前記絶縁インナーが収納された請求項１から３の何れかに記載の照明装置。
【請求項５】
前記ヒートシンクが、半円筒部と平板部で構成され、平板部がＬＥＤ基板に面接触した状態でＬＥＤ基板を保持する請求項１から４の何れかに記載の照明装置。
【請求項６】
前記ヒートシンクが、アルミニウムで構成されている請求項１から５の何れかに記載の照明装置。
【請求項７】
前記カバーが樹脂又はガラスで構成されている請求項１から６の何れかに記載の照明装置。
【発明の詳細な説明】
【技術分野】
【０００１】
本発明は、照明装置、特に内部に電源を有し光源にＬＥＤを用いた直管形のＬＥＤ照明装置に関する。
【背景技術】
【０００２】
近年、消費電力や光源の寿命などの観点から、ＬＥＤ（Ｌｉｇｈｔ Ｅｍｉｔｔｉｎｇ Ｄｉｏｄｅ）照明装置が用いられるようになってきている。このようなＬＥＤ照明装置において、既存の蛍光灯器具に取り付けることができるような蛍光灯形の直管形ＬＥＤランプが存在する。
【０００３】
例えば、図４に示す直管形ＬＥＤランプ４００では、複数のＬＥＤが実装されたＬＥＤ基板４０１と、ＬＥＤに点灯電力を供給する電源基板４０２と、電源基板４０２を包囲する絶縁インナー４０３と、電源基板４０２及び絶縁インナー４０３を内部に収納する半円筒状のヒートシンク４０４と、外殻を形成する絶縁性の半円筒状のカバー４０５を備えている。
【０００４】
この直管形ＬＥＤ４００によれば、外殻の一部を構成する上側半分がヒートシンク４０４で構成されているため、放熱効果を得ることが期待される。絶縁インナー４０３が電源基板４０２を包囲することで、電源回路からヒートシンク４０４へ電気が漏れることがないように遮断している。
【発明の開示】
【発明が解決しようとする課題】
【０００５】
蛍光灯型のＬＥＤ照明装置は、通常電源回路等を内部に含むため、電源回路が動作すると、そこから放射妨害波（不要輻射）、雑音端子電圧、妨害電力等の雑音（ノイズ）が発生するという問題があった。上記従来の構成では、アルミニウム製のヒートシンクが、シールド筐体としての役割を果たし、一定のノイズ低減効果を図っているが、必ずしも十分なノイズ対策とはいえなかった。
【０００６】
本発明の課題は上記問題点を解消することであって、照明装置本体からノイズが発生するのを低減させることができるＬＥＤ照明装置を提供することにある。
【課題を解決するための手段】
【０００７】
本発明の照明装置１００は、ＬＥＤが実装されたＬＥＤ基板１０１と、前記ＬＥＤに点灯電力を供給する電源回路を有する電源基板１０２と、前記電源基板１０２を包囲する絶縁インナー１０３と、前記電源基板１０２の放熱性を高める金属製のヒートシンク１０４とを備えている。そして、前記電源回路がコモン線１０７を介してヒートシンク１０４に電気的に接続されている。
【０００８】
本発明によれば、前記電源回路とヒートシンク１０４が電気的に接続されているため、ヒートシンク１０４が電位基準点となり、ノイズの低減を図ることができる。
【０００９】
また、前記ヒートシンク１０４を、平板部１０４Ａと半円筒部１０４Ｂからなる筒体で構成し、その内部に前記電源基板１０２及び前記絶縁インナー１０３を収納してもよい。電源基板１０２をヒートシンク１０４でシールドすることにより、さらにノイズの低減を図ることができる。
【００１０】
また、前記ヒートシンク１０４が、平板部１０４ＡがＬＥＤ基板１０１に面接触した状態でＬＥＤ基板１０１を保持するようにしてもよい。面接触することにより、ヒートシンク１０４の放熱効果を高めることができる。ヒートシンク１０４の材質は、熱伝導性のよいアルミニウムを用いることができる。
【００１１】
さらに、ヒートシンク１０４を覆うとともに、照明装置１００の外殻を形成する絶縁性の透光性カバー１０５を備えても良い。ヒートシンク１０４が電源回路と接続されていることを考慮し、感電防止に備えたものである。
【発明の効果】
【００１２】
本発明によれば、電源回路がコモン線１０７を介して金属製のヒートシンク１０４に接続されているため、ヒートシンク１０４が電位基準点となって、ノイズの低減を図ることが可能となっている。また、電源回路とヒートシンク１０４が電気的に接続されていることを考慮し、ヒートシンク１０４を絶縁性の透光性カバー１０５で覆うことによって、感電を防止している。
【図面の簡単な説明】
【００１３】
【図１】第１の実施形態の照明装置の正面図。
【図２】第１の実施形態の照明装置の断面図。
【図３】第２の実施形態の照明装置の断面図。
【図４】従来の照明装置の横断面図。
【発明を実施するための形態】
【００１４】
以下に本発明の好適な実施の形態について、図面を参照しながら説明する。図１は、第１の実施形態の照明装置の正面図である。図２は、第１の実施形態の照明装置１００の横断面図である。なお本実施の形態は一例であり、これに限定されるものではない。
【００１５】
（第１の実施形態）
本実施形態の照明装置１００は、内部に電源を備えた直管形ＬＥＤランプであって、複数のＬＥＤ（図示していない）を長手方向に沿って所定間隔で搭載した長尺のＬＥＤ基板１０１と、ＬＥＤに電流を供給する電源基板１０２と、電源基板１０２を収納する絶縁性ケース１０３と、アルミニウム製のヒートシンク１０４と、外殻を形成する円筒状の透光性カバー１０５を備えている。
【００１６】
ＬＥＤ基板１０１は、導電パターンが形成されているプリント基板１０１Ａと、このプリント基板１０１Ａに実装されている複数のＬＥＤとで構成されている。ＬＥＤは、直線状、千鳥状、２〜３列状のいずれか、あるいはこれらの組み合わせによって配列されている。
【００１７】
ＬＥＤ基板１０１の基材には加工性に優れたガラスエポキシ樹脂を用いているが、放熱性に優れたアルミニウム・銅等の金属板を用いることもできる。ＬＥＤ基板１０１は、後述するヒートシンク１０４によって面接触した状態で保持されている。
【００１８】
電源基板１０２は、長尺状のプリント基板からなり、ＬＥＤに供給する電源を生成するとともに、ＬＥＤを駆動して点灯制御する。電源基板１０２に搭載されている電源回路には、ＩＣ、コンデンサ、抵抗等の各種の電子部品１０６が接続されている。電源基板１０２とＬＥＤ基板１０１とは、図示しないリード線により電気的に接続されている。
【００１９】
絶縁性ケース１０３は、絶縁性の樹脂で構成されている。後述するヒートシンク１０４が金属製であることから、電源基板１０２とヒートシンク１０４との間の絶縁性を確保するために、絶縁性ケース１０３内に電源基板１０２を収納している。電源基板１０２及び絶縁性ケース１０３は、ヒートシンク１０４内に収納されている。
【００２０】
ヒートシンク１０４は、放熱性のよい金属、例えばアルミニウムないしアルミニウム合金で構成されており、例えば押し出し成型することにより製造することができる。本実施形態では長尺に形成されており、ＬＥＤ基板１０１の長手方向に揃えて配置している。
【００２１】
ヒートシンク１０４は平板部１０４Ａと半円筒部１０４Ｂが一体に形成された筒体となっている。平板部１０４Ａの両側端部には、ＬＥＤ基板１０１を保持するための取付爪１０４Ｃが形成されている。この取付爪１０４ＣがＬＥＤ基板１０１と係合することにより、ヒートシンク１０４はＬＥＤ基板１０１を保持している。なお、ＬＥＤ基板１０１は例えば接着やねじ止め等により固定してもよい。
【００２２】
また、ヒートシンク１０４は、空洞部に電源基板１０２および絶縁性ケース１０３を収納しており、電源基板からのノイズをシールドする筐体としての機能も有している。
【００２３】
平板部１０４Ａの外面には、ＬＥＤ基板１０１の裏面（すなわち、ＬＥＤが実装されていない面）に接触している。このため、ＬＥＤで生じた熱はＬＥＤ基板１０１を介してヒートシンク１０４に伝導し、ヒートシンク１０４から放射により放熱される。
【００２４】
すなわち、ＬＥＤ基板１０１をヒートシンク１０４の平板部１０４Ａに密着かつ面接触にて取り付けることにより、高い放熱効果を得ることが可能となっている。
【００２５】
本発明の重要なポイントは、電源回路の基準電位点がヒートシンク１０４となるように、ヒートシンク１０４と電源回路がコモン線１０７を介して電気的に接続されていることが挙げられる。具体的には、ヒートシンク１０４と電源回路を接続するコモン線１０４に抵抗が低い接続線を用いることで、コモン線１０７の電位をヒートシンク１０４の電位と等しくすることができる。これにより、電源基板１０２からのノイズを低減することが可能となる。
【００２６】
ここで、ヒートシンク１０４はコモン線１０７を介して電源回路と電気的に接続されているため、ヒートシンク１０４に触れると感電するおそれがある。そこで、本実施形態では、絶縁性の透光性カバー１０５でヒートシンク１０４を覆うことで、感電防止を図っている。
【００２７】
透光性カバー１０５は、無色透明、有色透明あるいは半透明、乳白色の樹脂やガラス等の透光性材料で形成されている。本実施形態では、ポリカーボネートが用いられている。円筒状をしており、ＬＥＤ基板１０１、電源基板１０２、絶縁性ケース１０３、ヒートシンク１０４を包囲する外殻としての機能を有している。この透光性カバー１０５によって、金属製のヒートシンク１０４が直接的に外気に露出することがないので、感電等に対する安全性を向上させることができる。
【００２８】
（第２の実施形態）
次に、第２の実施形態の照明装置２００について説明する。主として第１の実施形態と異なる点について説明し、重複する点については説明を省略する。図３は、第２の実施形態の照明装置２００の断面図である。
【００２９】
本実施形態の絶縁性ケース２０３は絶縁性の樹脂で構成されているが、その表面にはアルミニウムシートからなる電磁シールド２０３Ａが被覆されている。電磁シールド２０３Ａはヒートシンク２０４上に設けられており、ヒートシンク２０４と電気的に接続した状態となっている。
【００３０】
電磁シールド２０３Ａは、電源基板２０２の電源回路から延出するコモン線２０７と電気的に接続されている。このため、電磁シールド２０３Ａとヒートシンク２０４が電源回路の基準電位点となり、電源基板２０２からのノイズを低減することが可能となっている。
【符号の説明】
【００３１】
１００    照明器具
１０１    ＬＥＤ基板
１０１Ａ  プリント基板
１０２    電源基板
１０３    絶縁性ケース
１０４    ヒートシンク
１０４Ａ  平板部
１０４Ｂ  半円筒部
１０４Ｃ  取付爪
１０５    透光性カバー
１０７    コモン線
【図２】
0005964624.tif 000002
【図３】
0005964624.tif 000003
【図１】
0005964624.tif 000004
【図４】
0005964624.tif 000005